(57)【要約】      （修正有）【課題】隣接するタオル間の接触を防ぐとともに、従来のタオル掛けハンガーに追加で組み合わせることにより、安価で簡単に取り付けられるタオル掛けカバーを提供する。【解決手段】通気孔１０を有するとともに、平行な上辺３及び下辺４と、等長の左辺５及び右辺６を有する長方形の本体部２と、本体部の左辺及び右辺をそれぞれ共有するとともに、本体部の左辺及び右辺を除く他の各辺相互の交点付近が面取りされた台形の左側面部７及び右側面部８と、本体部の上辺に連続して形成された引っ掛け部９とを備えたタオル掛けカバーである。本体部の左辺及び右辺には、谷折り線がそれぞれ形成されている。図１において、１０は通気孔、１１は紐取付穴、１３は引っ掛け穴である。【選択図】図１
0003213266.tif 000002
【実用新案登録請求の範囲】
【請求項１】
通気孔を有するとともに、平行な上辺及び下辺と、等長の左辺及び右辺を有する長方形の本体部と、該長方形の本体部の左辺を共有するとともに、該本体部の左辺を除く他の各辺相互の交点付近が面取りされた台形の左側面部と、該長方形の本体部の右辺を共有するとともに、該本体部の右辺を除く他の各辺相互の交点付近が面取りされた台形の右側面部と、該本体部の該上辺に連続して形成された引っ掛け部とを備えたタオル掛けカバーであって、
該長方形の本体部の左辺及び該長方形の本体部の右辺には、谷折り線がそれぞれ形成されていることを特徴とするタオル掛けカバー。
【請求項２】
上記長方形の本体部の上部には、紐取付穴が形成されていることを特徴とする請求項１に記載のタオル掛けカバー。
【請求項３】
上記引っ掛け部には、上記長方形の本体部の上辺と平行に、山折り線が形成されていることを特徴とする請求項１又は請求項２に記載のタオル掛けカバー。
【考案の詳細な説明】
【技術分野】
【０００１】
本考案は、タオルと一緒に引っ掛けるだけで使用可能なタオル掛けカバーに関する。
【背景技術】
【０００２】
保育園・幼稚園等では、園児が日常使用するタオルをタオル掛けに掛け止めして収納している。
タオル掛けの例として、例えば特許文献１では、平面視凹枠状の一対の揺動部材を有し、凹枠部の左右の枠部間に平行に所定間隔を開けて棒状部材を掛け渡し、棒状部材にタオルを引っ掛けて垂らす等してタオルを掛けるタオル掛けが開示されている。このタオル掛けでは、複数の棒状部にそれぞれタオルを掛け、手拭き等を行っている。
【０００３】
ところが、特許文献１に係るタオル掛けでは、棒状部にタオルを引っ掛け、垂らすので、垂らされた隣接するタオルは相互に接触する虞があり、衛生面で難点がある。
特許文献２に係るタオル掛けでは、この点を解消して、タオル同士が触れないような工夫がなされている。
【０００４】
このタオル掛けは、次のような構成になっている。
両側の左右の支柱と、左右の支柱を繋ぐように設けられた横梁で自立するスタンドを形成し、スタンドの左右の支柱間に横向きに支持部材を架設し、支持部材に左右方向に所定間隔を開けて複数の仕切板を支持し、仕切板は板厚方向に貫通する複数の通気孔を設け、仕切板間に位置するようにタオルの係止具を設けている。
【先行技術文献】
【特許文献】
【０００５】
【特許文献１】特開２００４−１３５８０５号公報
【特許文献２】実用新案登録第３１９０２９０号公報
【考案の概要】
【考案が解決しようとする課題】
【０００６】
従来のタオル掛けとして、例えば、特許文献１に係るタオル掛けでは、タオルは相互に接触する虞があるため衛生面で問題があった。
また、特許文献２に係るタオル掛けでは、衛生面での問題は解決されるが、従来のタオル掛けと交換する必要があるため、導入するに際しコスト面で問題があった。
【０００７】
したがって、本考案は、従来のタオル掛けの問題点を解決するとともに、従来のタオル掛けに追加で組み合わせて、簡単に取り付けられるタオル掛けカバーを提供することを課題とする。
【課題を解決するための手段】
【０００８】
本考案の上記課題を解決するための手段は、次のとおりである。
（１）通気孔を有するとともに、平行な上辺及び下辺と、等長の左辺及び右辺を有する長方形の本体部と、該長方形の本体部の左辺を共有するとともに、該本体部の左辺を除く他の各辺相互の交点付近が面取りされた台形の左側面部と、該長方形の本体部の右辺を共有するとともに、該本体部の右辺を除く他の各辺相互の交点付近が面取りされた台形の右側面部と、該本体部の該上辺に連続して形成された引っ掛け部とを備えたタオル掛けカバーであって、
該長方形の本体部の左辺及び該長方形の本体部の右辺には、谷折り線がそれぞれ形成されていることを特徴とするタオル掛けカバー。
（２）上記長方形の本体部の上部には、紐取付穴が形成されていることを特徴とする上記（１）に記載のタオル掛けカバー。
（３）上記引っ掛け部には、上記長方形の本体部の上辺と平行に、山折り線が形成されていることを特徴とする上記（１）又は上記（２）に記載のタオル掛けカバー。
【考案の効果】
【０００９】
本考案に係るタオル掛けカバーによれば、次のような効果が得られる。
（１）これまでのタオル掛けに追加して使用できるため、簡単に、安価でかつ衛生面で優れたタオル掛けとすることができる。
（２）谷折り線に沿って左側面部及び右側面部を折り返すことによって、タオルを囲う形状になっているため、タオル同士が触れることなくタオルを衛生的に保つことができる。
（３）既存で使用しているタオル掛けの色々なフック及びフックスタンドに、タオルと一緒に引っ掛けるだけで使用することができる。
（４）本体部に通気孔が設けられているため、通気性が良く衛生的である。
（５）本体部に紐取付穴が設けられているため、特殊な形状のフックや色々な場所にも取付けることができる。
（６）引っ掛け部を山折り線に沿って折り曲げることにより、凸タイプのピン式のフックにも使用することができる。
【図面の簡単な説明】
【００１０】
【図１】本考案に係るタオル掛けカバーの実施形態の斜視模式図である。
【図２】本考案に係るタオル掛けカバーの実施形態の展開模式図である。
【図３】本考案に係るタオル掛けカバーの使用状態を示す写真である。
【図４】本考案に係るタオル掛けカバーの使用状態を示す他の写真である。
【考案を実施するための形態】
【００１１】
本考案に係るタオル掛けカバーの実施形態を例示して、本考案について説明する。
図１は、本考案に係るタオル掛けカバーの実施形態の斜視模式図であり、図２は、その展開模式図である。
この実施形態では、タオル掛けカバーは、本体部２と、本体部２の左右に連続して設けられた左側面部７及び右側面部８と、本体部２の上部に連続して設けられた引っ掛け部９から構成されている。
【００１２】
本考案のタオル掛けカバーは、図３に示す写真のようにタオルを包むように、タオルとともにタオル掛けのフックに取り付けて使用される。この実施形態では、タオル掛けカバーは、全体が０．５ｍｍ厚の透明なポリプロピレンシートからなる。
【００１３】
ポリプロピレンをタオル掛けカバーの材料に採用すると、衝撃で割れることがなく、また次亜塩素酸で消毒することができるので、タオル掛けカバーを常に衛生的に保つことができる利点があるが、タオル掛けカバーの材料としては、必ずしもこれに限定されるわけではない。
【００１４】
タオル掛けカバーの色は透明に限定されないが、図３の写真に示すタオル掛けカバーのように、透明としたことにより、好奇心旺盛な園児たちがタオル掛けカバーを用いて遊ぶようなことはない。
以下、本考案に係るタオル掛けカバーの構成について詳細に説明する。
【００１５】
（本体部）
本体部は、平行な上辺３及び下辺４と、等長の左辺５及び右辺６を有する下方に長い長方形の構造からなる。
本考案における「長方形」には、上辺及び下辺の長さが等しい場合のみならず、上辺に比べて下辺の長さが長いが、全体として下方に長い略長方形のものもこれに含まれる。
【００１６】
なお、本考案では左側面部及び右側面部の各上辺を本体部の方向に延長してできた本体部２の辺を、上辺３と規定しているが、実際の製品では本体部２と引っ掛け部９とは、一体のシートで構成されているため、本体部２と引っ掛け部９との間に明確な境界はない。
【００１７】
長方形の本体部２には、タオルの蒸れを防止するため細長い通気孔１０が２個設けられている。通気孔の形状、個数については、本体部の強度、通気性等を勘案して適宜設計される。
【００１８】
さらに、本体部の上部には、引っ掛け部がタオル掛けのフック等に対応できない場合に備えて、タオル掛けのフック等に紐で取り付けられるように、紐取付穴１１が設けられている。必要に応じて、紐取付穴１１に紐を通して輪を作り、これをタオル掛けのフック等に引っ掛ける。
本体部に紐取付穴が設けられているため、特殊な形状のフックや色々な場所にも取付けることができる。
【００１９】
（側面部）
長方形の本体部の両側面には、本体部に連続して、長方形の本体部の左辺を共有するとともに、本体部の左辺を除く他の辺相互の交点付近が面取りされた台形の左側面部７と、長方形の本体部の右辺を共有するとともに、本体部の右辺を除く他の辺相互の交点付近が面取りされた台形の右側面部８が設けられている。
【００２０】
台形の左側面部７及び右側面部８は、タオル掛けに掛けたタオル同士が直接接触しないようにするために設けられている。このため、本体部の左辺５及び右辺６には、谷折り線がそれぞれ形成されている。そして、タオル掛けカバーとして使用する場合には、図１に示す斜視模式図のように、本体部の左辺５及び右辺６を谷折り線に沿って適宜の角度に折り曲げ、タオルを包むようにして使用する。
【００２１】
（引っ掛け部）
本体部２の上辺３に連続して上方に、引っ掛け部９が設けられている。
引っ掛け部９には、タオル掛けカバーをタオル掛けに引っ掛けるための引っ掛け穴１３が設けられている。
また、引っ掛け部９には、山折り線１２が設けられている。このため、引っ掛け部を山折り線に沿って折り曲げることにより、凸タイプのピン式のフックにも適用可能である。
【００２２】
図４は、引っ掛け部９を山折り線１２に沿って折り曲げて使用した状態を示す写真である。そして、図４の（ａ）図は、本考案に係るタオル掛けカバーの使用状態を示す写真であり、また同（ｂ）図は、斜め上方からの部分拡大写真である。
【００２３】
図４の写真に示す凸タイプのピン式のフックには、タオル掛けカバーをそのまま引っ掛けることができないため、図４の写真に示すように引っ掛け部９を山折り線１２に沿って折り曲げて使用することになる。
【００２４】
以上、本考案に係るタオル掛けカバーについて好適な実施形態を例示して説明したが、この実施形態は、本考案の技術的範囲を限定するものではなく、実用新案登録請求の範囲に記載された本考案の要旨を逸脱しない範囲内で各種の変更や修正を加えることができることは、言うまでもないことである。
【００２５】
例えば、実施形態では、本考案に係るタオル掛けカバーの使用場所として幼稚園・保育園を例示して説明しているが、本考案に係るタオル掛けカバーは幼稚園・保育園に限らず、タオル同士が接触する虞がある施設等においても使用可能である。
【００２６】
また、これまで、本考案に係るタオル掛けカバーを多数個使用する場合について述べてきたが、本考案に係るタオル掛けカバーは、家庭の台所、洗面所などにおいてタオル掛けとともに１個でも有効に使用することができる。
【００２７】
すなわち、本考案に係るタオル掛けカバーを使用すると、濡れたタオルと壁部分とが直接接触することがないため、従来の壁部分などに見られた黒ずみやカビなどの発生が見られない。
【符号の説明】
【００２８】
１  タオル掛けカバー
２  本体部
３  本体部の上辺
４  本体部の下辺
５  本体部の左辺
６  本体部の右辺
７  左側面部
８  右側面部
９  引っ掛け部
１０  通気孔
１１  紐取付穴
１２  山折り線
１３  引っ掛け穴
【図１】
0003213266.tif 000003
【図２】
0003213266.tif 000004
【図３】
0003213266.tif 000005
【図４】
0003213266.tif 000006